(57)【要約】【課題】  大きな着圧を生じさせて臀部に対し強力に補整効果を与える編組織部分を適切に配置し、着用状態で臀部に食込むことなく臀部を上方へ押上げるのみとすることができ、不自然な段差等を発生させずに、臀部及びその周辺を自然で無理のない曲面からなる補整形状にできる衣類を提供する。【解決手段】  臀部の周縁部分に対応する位置に配設されて大きな着圧を生じさせる第１編組織１１の上端部をガードル上辺の着圧大である口ゴム部１７から離隔させ、第１編組織１１部分のガードル他部分に対する動きの自由度を向上させることから、着用状態では臀部の肉付き状態に対応して第１編組織１１部分が上下左右へ多少ずれ、臀部の締付けを緩和することとなり、第１編組織１１が臀部周縁部分を過剰に締付けて臀部周縁部分に食込むことを防止でき、臀部における段差の形成を抑えて滑らかな臀部外観を伴ったヒップアップが実現する。【選択図】  図３
2006233344.tif 000002
【特許請求の範囲】
【請求項１】
身体ウエスト部より下側所定範囲を覆う形状で且つ臀部の周縁部分に当接する部位に着圧を大きくした編組織が配置された状態として編成され、身体への着用状態で少なくとも臀部の立体形状を補整する衣類において、
前記臀部周縁部分への当接部位に、少なくとも後身頃側で最も大きい第１の着圧を生じさせる第１編組織が配置されると共に、前記第１編組織の周囲に前記第１の着圧より小さい一又は複数の着圧を生じさせる他の一又は複数の編組織が配置され、且つ衣類上辺部分にずれ落ち防止用の所定着圧を生じさせる略帯状の口ゴム部が配設されてなり、
前記第１編組織の上端部分が、前記衣類上辺部分の口ゴム部との間に前記他の編組織を介在させつつ所定間隔をおいて配置されることを
特徴とする衣類。
【請求項２】
前記請求項１に記載の衣類において、
前記第１編組織の周囲に前記第１の着圧より小さい第２の着圧を生じさせる第２編組織が配置されると共に、前記第２編組織の周囲に前記第２の着圧より小さい第３の着圧を生じさせる第３編組織が配置され、さらに、少なくとも後身頃側で前記第１、第２、及び第３の各編組織並びに衣類上下辺部分を除いた残り部分を、前記第３の着圧より小さい着圧を生じさせる一又は複数の編組織とされてなることを
特徴とする衣類。
【発明の詳細な説明】
【技術分野】
【０００１】
本発明は、身体ウエスト部より下側に着用されて着用部位の体型を補整する衣類に関し、特に補整により得られる臀部の外観を自然な曲面形状として違和感を与えない衣類に関する。
【背景技術】
【０００２】
身に着けた状態で着用部位の身体各部形状を補整する下着（ファンデーション）のうち、身体の腹部から臀部、さらに下肢上部にかけての部位に着用されるガードル、ショーツ、及びスパッツ等、また、下着同様に補整に用いられるパンティストッキングやタイツ類は、いずれも編組織に部分的な変化を与えたり当て布を配設したりすることで特定の箇所に他の部分と異なる締付け力（着圧）を発生させ、体型補整機能を与えられているが、特に、垂下がり気味の臀部を下から押上げて臀部形状を補整する、いわゆるヒップアップ機能については、その効果を適切に発揮させるための様々な工夫が従来から数多く提案されている。こうしたヒップアップ機能を備える従来の衣類のうち、ガードルの例として、特開平９−２９６３０４号公報、特開平１０−２１２６０６号公報、特開平１１−６１５０３号公報に記載されるものがある。
【０００３】
これら従来のガードルは、臀部周縁部分に当接する部位に着圧を大きくする編地や当て布を配置したものであり、着用状態で臀部周縁部分に当接したこれらの部位の大きな着圧で臀部を押上げ、ヒップアップ効果を得られる仕組みである。  
【特許文献１】特開平９−２９６３０４号公報
【特許文献２】特開平１０−２１２６０６号公報
【特許文献２】特開平１１−６１５０３号公報
【発明の開示】
【発明が解決しようとする課題】
【０００４】
従来のガードルは前記各特許文献に記載されるような構成とされており、いずれにおいても、臀部を押上げるための大きな着圧を生じさせる編組織や当て布部分は、同様に大きな着圧を生じさせるガードル上辺の口ゴム部分と連結しており、ガードル着用状態で臀部の押上げられる隆起部分は、これらガードルの一体化した大きな着圧を生じさせる各部分で周囲を完全に取囲まれ、逃げ場もなく周囲から常に締付けられる状態となることから、特にガードル下部の臀部周縁部分に当接する部分が一部臀部側に食込むなどして、臀部隆起部分とその周囲の身体表面部分との間に段差があらわれた状態になりやすく、特に肥満気味の人ではそれが顕著にあらわれることとなり、ガードルを着用したにもかかわらず臀部周囲に段差があらわれた不自然な外観になってしまうという課題を有していた。
【０００５】
本発明は前記課題を解消するためになされたもので、大きな着圧を生じさせて臀部に対し強力に補整効果を与える編組織部分を適切に配置し、着用状態で臀部に食込むことなく臀部を上方へ押上げるのみとすることができ、不自然な段差等を発生させずに、臀部及びその周辺を自然で無理のない曲面からなる補整形状にできる衣類を提供することを目的とする。
【課題を解決するための手段】
【０００６】
本発明に係る衣類は、身体ウエスト部より下側所定範囲を覆う形状で且つ臀部の周縁部分に当接する部位に着圧を大きくした編組織が配置された状態として編成され、身体への着用状態で少なくとも臀部の立体形状を補整する衣類において、前記臀部周縁部分への当接部位に、少なくとも後身頃側で最も大きい第１の着圧を生じさせる第１編組織が配置されると共に、前記第１編組織の周囲に前記第１の着圧より小さい一又は複数の着圧を生じさせる他の一又は複数の編組織が配置され、且つ衣類上辺部分にずれ落ち防止用の所定着圧を生じさせる略帯状の口ゴム部が配設されてなり、前記第１編組織の上端部分が、前記衣類上辺部分の口ゴム部との間に前記他の編組織を介在させつつ所定間隔をおいて配置されるものである。
【０００７】
このように本発明によれば、臀部の周縁部分に対応する位置に配設されて大きな着圧を生じさせる第１編組織の上端部を衣類上辺の着圧大である口ゴム部から離隔させ、第１編組織部分の衣類他部分に対する動きの自由度を向上させることにより、着用状態では臀部の肉付き状態に対応して第１編組織部分が衣類他部分に対し上下左右へ多少ずれ、臀部の締付けを緩和することとなり、第１編組織が臀部周縁部分を過剰に締付けて臀部周縁部分に食込むようなことを防止でき、肥満気味の人でも臀部における段差の形成を抑えて不自然でない滑らかな臀部外観を伴ったヒップアップが実現する。
【０００８】
また、本発明に係る衣類は必要に応じて、前記第１編組織の周囲に前記第１の着圧より小さい第２の着圧を生じさせる第２編組織が配置されると共に、前記第２編組織の周囲に前記第２の着圧より小さい第３の着圧を生じさせる第３編組織が配置され、さらに、少なくとも後身頃側で前記第１、第２、及び第３の各編組織並びに衣類上下辺部分を除いた残り部分を、前記第３の着圧より小さい着圧を生じさせる一又は複数の編組織とされてなるものである。
【０００９】
このように本発明においては、第１編組織の周りにより小さい着圧を生じさせる第２編組織及び第３編組織を配置し、着用状態で第１編組織から周囲に向けて徐々に小さくなるような着圧分布を得ることにより、臀部に対する当接部位毎の着圧の変化が緩やかなものとなって臀部各部の変形量も連続的に少しずつ変化させられることとなり、第１編組織が臀部周縁部分を極端に凹状に変形させることもなく、臀部に対し緩やかに連続する曲面からなる美しい補整形状を確実に形成できる。
【発明を実施するための最良の形態】
【００１０】
以下、本発明の一実施の形態を図１ないし図３に基づいて説明する。本実施の形態においてはガードルの例について説明する。図１は本実施の形態に係るガードルの正面図、図２は本実施の形態に係るガードルの背面図、図３は本実施の形態に係るガードルの着用状態説明図である。
前記各図において本実施形態に係るガードル１は、腹部側を覆う前身頃１０ａ及び臀部側を覆う後身頃１０ｂを一体編成される一方で複数の領域毎に編組織を異ならせて編成された編地からなるガードル本体１０と、このガードル本体１０の一方の開口部中央に縫着される股部２０とを備え、ガードルとされてなる構成である。ガードルとしての形状は、腰部全体を覆って下腹部や臀部の引締め効果を与えられる公知の形状であり、詳細な説明を省略する。
【００１１】
前記ガードル本体１０は、後側に位置する後身頃１０ｂのうち臀部周縁部分に相対して当接する部位を、後身頃１０ｂ側で最も大きい第１の着圧を生じさせる第１編組織１１とされ、また、これと対向して腹部に当接する前身頃１０ａの略中央部分を、前記第１の着圧とほぼ同様の大きな着圧を生じさせる前面編組織１２とされる一方、これら第１編組織１１及び前面編組織１２の周囲により小さい着圧を生じさせる第２編組織１３、１４及び第３編組織１５、１６をそれぞれ配置され、さらにガードル上下辺の各開口部の端から所定範囲を伸縮性に優れフィットしやすい口ゴム部１７、１８として編成され、これ以外の部分を伸縮性に優れるベース編地部１９とされてなる構成である。このガードル本体１０の股下部分は、当初の筒編地の一方の開口縁部を前後身頃の各中央部分で一部切断され、切断部分同士を縫製されると共に別体の股部２０を縫着一体化されて、両脚の通る二つの筒状開口部分以外閉じた状態とされる構成である。
【００１２】
前記第１編組織１１、第２編組織１３、及び第３編組織１５はフロート編及び／又はプレーン編で編成され、後身頃１０ｂにおいて、第１編組織１１の周囲に前記第１の着圧より小さい第２の着圧を生じさせる第２編組織１３が配置されると共に、この第２編組織１３の周囲に前記第２の着圧より小さい第３の着圧を生じさせる第３編組織１５が配置される構成であり、着用状態で臀部にそれぞれ所定の着圧をもって当接する仕組みである。これら各編組織の配置状態は、身体の中心線について対称となっている。
【００１３】
前記第１編組織１１は、後身頃１０ｂにおける臀部の周縁部分に相対する所定領域を占め、着用状態で臀部周縁部分に当接する構成である。この第１編組織１１は、他の第２編組織１３や第３編組織１５に対し、原糸の一部又は全てを異ならせたり、編組織の構造を変化させたり、度目を小さくしたりなどして編成されることで、着用状態において他部位より大きな着圧を生じる仕組みである。この第１編組織１１の上端部分と、ガードル上辺部分の口ゴム部１７との間には前記第２編組織１３を介在させており、口ゴム部１７と第１編組織１１とは所定間隔をおいて配置される構成である。また、第１編組織１１の上端部分は上方に向うに従って先細状となっており、口ゴム部１７と第１編組織１１との間隔を第１編組織１１の先端から外れるに従って大きくすることで、共に大きな伸縮力を有する口ゴム部１７と第１編組織１１との間に生じる上下方向の緊張力の大きさ（図４中の二点鎖線矢印の大きさで表現）を両者の間隔の広がりに伴わせて徐々に小さくしていき、口ゴム部１７と第１編組織１１との間の広い範囲で大きな緊張力が生じるのを防いでその周囲への影響を緩和できることとなり、編組織の移り変りに伴う着圧の変化が周囲各方向で均等且つスムーズにあらわれるようにしている。
【００１４】
前記前面編組織１２は、フロート編及び／又はプレーン編で編成され、腹部前面に対応する前身頃１０ａ中央の所定範囲を占め、着用状態で腹部に当接して腹部の引締め効果を与えられる公知の形状及び構造となっており、詳細な説明を省略する。この前面編組織１２は、第１編組織１１の場合とほぼ同様の着圧設定とされ、伸縮時の強い弾性回復力で着用状態では第１編組織１１同様に大きな着圧を生じさせ、着用当初状態での位置を保ちつつ、腹部を強く圧迫してその膨出を抑える仕組みである。前身頃１０ａにおけるこの前面編組織１２の周囲にも、第１編組織１１の場合同様、第２編組織１４が配置されると共に、この第２編組織１４の周囲に第３編組織１６が配置される構成である。
【００１５】
前記第２編組織１３は、第１編組織１１の場合より編地をなす糸の張力を小さくしたり度目を大きくしたりなどして編成され、伸縮しやすい編組織とされることで第１編組織１１に比べて着用状態でより小さい着圧を生じる構成であり、第１編組織１１の周囲領域を占め、着用状態で臀部周縁部分の内外所定範囲に当接する。また、前身頃１０ａ側の第２編組織１４も、後身頃１０ｂ側同様、前面編組織１２に比べて着用状態でより小さい着圧を生じる構成であり、前面編組織１２の周囲領域を占め、着用状態で腹部周縁部分所定範囲に当接する。
【００１６】
前記第３編組織１５は、第２編組織１３より編地をなす糸の張力を小さくしたり度目を大きくしたりなどして編成され、より伸縮しやすい編組織とされることで前記各編組織に比べて着用状態でより小さい着圧を生じる構成であり、第２編組織１３の周囲の領域を占めて身体における第２編組織１３の当接部分のさらに外側及び内側に当接する仕組みである。また、前身頃１０ａ側の第３編組織１６も、後身頃１０ｂ側同様、前面編組織１２及び第２編組織１４に比べて着用状態でより小さい着圧を生じる構成であり、第２編組織１４の周囲領域を占めて身体における第２編組織１４の当接部分のさらに外側に当接する仕組みである。
【００１７】
前記口ゴム部１７は、ガードル上辺部分でガードル全体のずれ落ちを防止する所定の着圧を生じさせる略帯状部分としてプレーン編やフロート編、リブ編等で編成される構成であり、また、前記口ゴム部１８は、ガードル下辺部分で太股に密着当接する所定着圧を生じさせる略帯状部分としてプレーン編やフロート編、リブ編等で編成される構成である。なお、口ゴム部１７、１８は所定の編成方法で略帯状部分として編成される構成に限らず、文字通りの口ゴムを内蔵して着圧を生じさせる構成としてもかまわない。
【００１８】
前記ベース編地部１９は、前記第３の着圧より小さい着圧を生じさせる編組織とされ、伸縮性のあるプレーン編、スパイラル編、フロート編、タック編、パイル編、パール編、又はリブ編等で編成されてなる構成である。このベース編地部１９は、ナイロンやポリウレタンを含む混紡原糸により編成されるものであり、強さと通気性を兼ね備えた編地となっている。股部２０もこのベース編地部１９と同じ素材で且つベース編地部１９と同様の編組織として形成される。
【００１９】
次に、前記構成に基づく本実施形態のガードルの着用状態について説明する。使用者はガードル１に脚を通し、上側の口ゴム部１７を腹部上側まで引上げ、前身頃１０ａ中央の前面編組織１２を腹部前側に、また、後身頃１０ｂの第１編組織１１をちょうど臀部周縁部分に位置させるなど、各部を身体の該当箇所表面にぴったり合わせれば、完全な着用状態となる。
ガードル１の大部分を占めるベース編地部１９は十分な伸縮性を有しており、腹部及び臀部を確実に覆ってサポートできる。さらに、上下の口ゴム部１７、１８が適度な締付け力で身体に密着し、着用部位からのずれを防ぐ。
【００２０】
この着用状態では、ガードル１の大部分を占めるベース編地部１９がその十分な伸縮性に基づいて身体の着用部分にガードル１全体を密着、フィットさせる一方、前身頃１０ａの前面編組織１２が、大きな着圧で使用者の腹部に対し前方から強く密着した状態となると共に、後身頃１０ｂの第１編組織１１がちょうど臀部周縁部分に沿って強く密着し、両脇から中央にかけて臀部の下がりを押しとどめて持上げ、ヒップアップを実現した状態となる。この時、第１編組織１１の上端部分と上辺の口ゴム部１７とが第２編組織１３を介在させて離隔していることにより、第１編組織１１の部分が臀部の肉付き状態に合わせてガードル他部分に対し多少ずれ、臀部への密着度合を適度に調整可能となっており、臀部に対し第１編組織１１や口ゴム部１７による周りからの締付けが過剰にならず、第１編組織１１部分が臀部に食込んで段差を生じさせることはない。また、第１編組織１１の周囲に少しずつ着圧を小さくした第２編組織１３と第３編組織１５が存在してガードル１における着圧の変化が緩やかなものとなっていることで、臀部周縁部分から臀部の隆起中央部分にかけての曲面を緩やかに変化する状態とすることができ、自然で美しい補整形状を与えられる。
【００２１】
こうして着用状態で第１編組織１１、前面編組織１２、第２編組織１３、１４、及び第３編組織１５、１６がそれぞれ所定の着圧をもって密着状態の腹部や臀部を適度に押圧して補整効果を与えることができ、過度の締付けもなく、使用者の身体を大きく動かす運動を経た場合でも、腹部や臀部に対し大きくずれることはなく、補整状態を維持できると共に、着用感を変化させない。
【００２２】
このように本実施の形態に係るガードルにおいては、臀部の周縁部分に対応する位置に配設されて大きな着圧を生じさせる第１編組織１１の上端部をガードル上辺の着圧大である口ゴム部１７から離隔させ、第１編組織１１部分のガードル他部分に対する動きの自由度を向上させることから、着用状態では臀部の肉付き状態に対応して第１編組織１１部分がガードル他部分に対し上下左右へ多少ずれ、臀部の締付けを緩和することとなり、第１編組織１１が臀部周縁部分を過剰に締付けて臀部周縁部分に食込むようなことを防止でき、さらに、第１編組織１１の周りにより小さい着圧を生じさせる第２編組織１３及び第３編組織１５を配置し、着用状態で第１編組織１１から周囲に向けて徐々に小さくなるような着圧分布を得ていることと合わせ、肥満気味の人でも臀部における段差の形成を抑えて緩やかに連続する曲面からなる美しい補整形状を確実に形成でき、不自然でない滑らかな臀部外観を伴ったヒップアップが実現する。
【００２３】
なお、前記実施の形態においては、ガードルの例について説明したが、これに限らず、身体ウエスト部より下側に着用される他の各種補整用の衣類（ショーツ、スパッツ、パンティストッキング、及びタイツ等）についても、前記同様の編組織構成とすることができ、前記ガードル同様に臀部周縁部分から臀部の隆起中央部分にかけての曲面を緩やかに変化する状態とすることができ、自然で美しい補整形状を与えられることとなる。
【００２４】
また、前記実施の形態に係るガードルにおいては、第１編組織１１の周りにより小さい着圧を生じさせる第２編組織１３及び第３編組織１５を配置し、編組織の変化を三段階としているが、これに限らず、第１編組織１１の周りにより小さい着圧を生じさせる編組織を一つのみ配置して編組織の変化を二段階としたり、第１編組織の周りにより小さい着圧を生じさせる編組織を三つ以上配置して編組織の変化を四段階以上にする構成とすることもでき、第１編組織の周囲に少しずつ着圧を小さくした一又は複数の編組織が存在してガードル１における着圧の変化が緩やかなものとなることで、前記実施の形態同様、臀部周縁部分から臀部の隆起中央部分にかけての曲面を緩やかに変化する状態とすることができ、自然で美しい補整形状を与えられる。
【図面の簡単な説明】
【００２５】
【図１】本発明の一実施の形態に係るガードルの正面図である。
【図２】本発明の一実施の形態に係るガードルの背面図である。
【図３】本発明の一実施の形態に係るガードルの着用状態説明図である。
【図４】本発明の一実施の形態に係るガードルにおける第１編組織上端と口ゴム部間のの緊張力発生状態模式説明図である。
【符号の説明】
【００２６】
１            ガードル
１０          ガードル本体
１０ａ        前身頃
１０ｂ        後身頃
１１          第１編組織
１２          前面編組織
１３、１４    第２編組織
１５、１６    第３編組織
１７、１８    口ゴム部
１９          ベース編地部
２０          股部
【図１】
2006233344.tif 000003
【図２】
2006233344.tif 000004
【図３】
2006233344.tif 000005
【図４】
2006233344.tif 000006